(57)【特許請求の範囲】
【請求項１】
遊技場に設置される枠体に、導電性を有し遊技球を案内するガイドレールを備えた遊技盤部材を収容して成る遊技機であって、
前記枠体は、前記遊技盤部材に向かって付勢力を有し、前記遊技盤部材が収容されると前記付勢力に反して弾性変形する板状の押圧部によって前記遊技盤部材を押圧する押さえ部材を備え、
前記遊技盤部材には、前記ガイドレールと電気的に接続され、前記遊技盤部材の背面に沿って配された板状の接触部を有する導電性部材が取り付けられ、
前記押さえ部材は、遊技機のアースに電気的に接続され、前記遊技盤部材が前記枠体に収容されると、前記遊技盤部材を押圧するとともに前記押圧部の弾性変形により前記押圧部と前記接触部とが密着した状態となることを特徴とする遊技機。
【発明の詳細な説明】
【技術分野】
【０００１】
本発明は、遊技盤を備えた遊技機に関するものである。
【背景技術】
【０００２】
パチンコ遊技機において使用される遊技球は金属製のものであり、遊技中に静電気を帯びやすいため、遊技機内部の電気回路や、遊技者に悪影響を及ぼさないように、適宜除電を行う必要がある。従来の遊技機では、この除電のための装置を、遊技盤の正面部に設けていた。
例えば、特許文献１に記載の遊技機は、金属製の外レールおよび内レールとを電気的に接続する接続部材と、一端が遊技機のアース手段に接続され他端が接続部材、外レールおよび内レールの少なくともいずれか一つに接続される導電部材とを備えている。また、特許文献２に記載の遊技機は、遊技盤のガイドレールと、遊技盤を保持する遊技盤保持枠とを電気的に接続する接続手段とを備え、接続手段は、遊技盤側に設けられ、ガイドレールに弾接して電気的に接続される第１接続部材と、遊技盤保持枠側に設けられ、第１接続部材に弾接するとともに遊技盤保持枠に電気的に接続される第２接続部材とを備えている。
【先行技術文献】
【特許文献】
【０００３】
【特許文献１】特開２００２−２５３７６４号公報
【特許文献１】特開２０１４−８３０６７号公報
【発明の概要】
【発明が解決しようとする課題】
【０００４】
しかし、遊技盤の正面側に除電装置を設けると、遊技盤の設計領域が制限されるという問題点があった。
そこで、本願発明は、遊技盤を備えた遊技機において、遊技盤の設計領域が除電のための装置によって制限されないようにすることを目的とする。
【課題を解決するための手段】
【０００５】
上述した目的を達成するために、本発明は次のように構成されている。
本発明に係る遊技機（パチンコ機Ｐ）は、遊技場に設置される枠体（機枠Ｆ１）に、導電性を有し遊技球を案内するガイドレールＲを備えた遊技盤部材（遊技盤ユニット１）を収容して成る遊技機であって、前記枠体は、前記遊技盤部材に向かって付勢力を有し、前記遊技盤部材が収容されると前記付勢力に反して弾性変形する板状の押圧部によって前記遊技盤部材を押圧する押さえ部材を備え、前記遊技盤部材には、前記ガイドレールと電気的に接続され、前記遊技盤部材の背面に沿って配された板状の接触部を有する導電性部材が取り付けられ、前記押さえ部材は、遊技機のアースに電気的に接続され、前記遊技盤部材が前記枠体に収容されると、前記遊技盤部材を押圧するとともに前記押圧部の弾性変形により前記押圧部と前記接触部とが密着した状態となることを特徴とする。
【０００６】
本発明における遊技盤部材には、例えば金属製のガイドレールＲを備え遊技領域１２０を構成する遊技盤１１０だけでなく、遊技盤１１０の背面側に設けられ遊技機の制御装置等を取り付けるための後方板（セット板１００）も含まれる。また、本発明における導電性部材は、複数の部材から構成されていてもよい。また、導電性部材は、例えば、遊技盤部材に形成された貫通孔を通して遊技盤部材の背面に至るように形成することができる。
本発明では、ガイドレールＲに接続された導電性部材を遊技盤部材の背面側に回し、遊技盤部材の背面に位置する前記導電性部材と、遊技盤部材の背面部を押さえるための押さえ部材とを接触させることにより、背面側からアースを取るようにしている。
【０００７】
本発明によれば、押さえ部材を、アースを取るための部材と兼用にしているので、部品点数の削減を図ることができるとともに、遊技領域１２０を構成する遊技盤部材の正面にアースを取るための装置を配置しなくてよいので、遊技盤１１０の設計領域を拡大することができる。
ここで、前記導電性部材は、前記遊技盤部材の正面から底面を経て前記遊技盤部材の背面に連続したものとすることができる。このように形成することにより、導電性部材の装着を容易にすることができる。
【発明の効果】
【０００８】
本発明によれば、遊技盤を備えた遊技機において、遊技盤の設計領域が除電のための装置によって制限されないようにすることができる。
【図面の簡単な説明】
【０００９】
【図１】パチンコ機の外観正面図である。
【図２】遊技盤ユニット及び機枠の斜視図である。
【図３】パチンコ機の遊技盤の正面概略図である。
【図４】遊技盤ユニットの背面図である。
【図５】図４のＶ−Ｖ線断面図である。
【発明を実施するための形態】
【００１０】
以下、本発明の好適な実施の形態を、図面を参照しつつ説明する。
なお、本明細書において、パチンコ機Ｐに設けられた各構成部品についての、前後（正面背面）、左右（側面）、上下（平面底面）の方向は、各構成部品をパチンコ機Ｐに固定した状態でパチンコ機Ｐを正面視したときの方向を示すものとする。
【００１１】
（パチンコ機Ｐの外部構成）
本形態に係る遊技機は、遊技媒体として遊技球を使用するパチンコ機Ｐである。特に図示していないが、一般的に、パチンコ機Ｐが設置される遊技場においては、島と呼ばれる遊技機の設置領域に、複数台のパチンコ機Ｐが並べて配設されるとともに、遊技球を貸し出すための遊技球貸出装置（特に図示しておらず）が各パチンコ機Ｐに隣接して設置される。また、各パチンコ機Ｐは対応する遊技球貸出装置に接続されている。
遊技球貸出装置は、紙幣の投入や遊技球の貸し出しに必要な価値情報が記憶される記憶媒体（カード）の挿入が可能となっている。そして、遊技球貸出装置に紙幣を投入（又は、カードを挿入）した上で、パチンコ機Ｐに対して所定の操作を行うことにより、遊技球貸出装置Ｒから遊技球の貸し出しを受けることができるようになっている。
【００１２】
本形態に係るパチンコ機Ｐは、図１及び図２に示すように、島に固定される四角形状の枠体であって中空部を有する機枠Ｆ１と、この機枠Ｆ１にヒンジ機構（特に図示しておらず）により開閉自在に取り付けられる四角形状の枠体であって、中空部を有する本体枠Ｆ２と、この本体枠Ｆ２にヒンジ機構（特に図示しておらず）により開閉自在に取り付けられ、正面に開口部（特に図示しておらず）が形成された前扉Ｄと、を備えている。
【００１３】
本体枠Ｆ２の中空部には、図２に示すように、遊技領域１２０を形成する遊技盤１１０と、遊技盤１１０の後方に配置されるセット板１００とから構成される遊技盤ユニット１が収容されている。なお、図２においては、遊技盤１１０の盤面の構成を省略している。セット板１００は、パチンコ機Ｐの作動を制御する制御装置８００（図４参照）や、画像を表示するための液晶表示装置２１０（図３、図４参照）などを取り付けるためのものである。また、機枠Ｆ１の左側には、図２に示すように、平面視Ｖ字型の本体押圧板４０が上下に並んで２個取り付けられている。そして、機枠Ｆ１に対して本体枠Ｆ２を閉じたときに、本体押圧板４０がセット板１００の背面部を押圧するようになっている。なお、遊技盤ユニット１の左下部には、放電用のアース板金２０が取り付けられているが、これについては後述する。
【００１４】
また、図１に示すように、前扉Ｄには、開口部を覆う透明板４００と、透明板４００の下方に位置し遊技球を受容可能な上皿６００及び受皿７００と、受皿７００の右方に取り付けられ遊技球の発射操作を行うための操作ハンドル５００と、左下部に位置するスピーカＳＰと、が設けられている。
このパチンコ機Ｐでは、機枠Ｆ１に対して本体枠Ｆ２を閉じ、さらに、前扉Ｄを閉じると、遊技盤１１０の前方に透明板４００が位置することとなる。これにより、透明板４００を介して、後方に位置する遊技盤１１０を視認することができるようになっている。
【００１５】
前記上皿６００には、図示しない球貸機から貸し出される遊技球や、パチンコ機Ｐから払い出される賞球が導かれるようになっている。上皿６００が遊技球で満杯になった場合には、パチンコ機Ｐから払い出される賞球は下皿７００に導かれる。下皿７００には図示しない開閉レバーが設けられており、開閉レバーを操作することにより下皿７００の底部に設けられた排出口を開いて、下皿７００に溜まった遊技球を下皿７００の外に排出できるようになっている。
前記操作ハンドル５００は、遊技球を打ち出すためのものであり、遊技者が回転操作可能に形成されている。ここで、上皿６００は、図示しない遊技球の発射装置に遊技球を供給する供給通路（図示せず）を備えており、上皿６００の遊技球が供給通路から発射装置に供給された状態で遊技者が操作ハンドル５００を回転させて発射操作を行うと、当該操作ハンドル５００の回転角度に応じた強度で、図示しない発射機構によって遊技球が発射される。
【００１６】
遊技盤１１０は、透明なアクリル板であり、遊技盤１１０の盤面には、図２及び図３に示すように、金属製の外レールＲ１及び内レールＲ２からなるガイドレールＲが設けられている。そしてこのガイドレールＲによって略円形状に仕切られた領域が、遊技領域１２０を形成する。また、遊技領域１２０の左側方の領域において、外レールＲ１と内レールＲ２との間には、遊技球の発射通路が形成されており、発射機構から発射された遊技球は、発射強度が十分な場合に発射通路内を外レールＲ１に沿って上り、遊技領域１２０の左上部から遊技領域１２０内に放出される。
【００１７】
遊技領域１２０は、図３に示すように、パチンコ機Ｐに対向する遊技者から見て左側の領域である第１遊技領域１２１と、パチンコ機Ｐに対向する遊技者から見て右側の領域である第２遊技領域１２２とから構成されている。これら２つの遊技領域１２０は、発射装置の発射強度により、遊技球の進入可能性が異なるようになっている。具体的には、発射装置の発射強度が所定の強度未満（発射装置により発射される遊技球が遊技領域１２０の最高地点に到達しない程度の強度）の場合には、遊技球は第１遊技領域１２１に進入する。これに対して、発射装置の発射強度が所定の強度以上（発射装置により発射される遊技球が遊技領域１２０の最高地点に到達可能な強度）の場合には、遊技球は第２遊技領域１２１に進入する。
【００１８】
また、この遊技領域１２０内には、図３に示すように、遊技球の流下方向を不規則にするための風車及び多数の釘と、遊技球が入球可能な一般入賞口１４０と、始動領域としての第１始動入賞口１５０及び第２始動入賞口１６０と、遊技球が通過可能なゲート２００と、所定条件を満たすことで作動するアタッカー装置１７０と、遊技球を遊技領域１２０外へ導くアウト口１９０と、が設けられている。
遊技領域１２０の中央部には、セット板１００に固定された液晶表示装置２１０の表示画面２１１が位置しており、透明な遊技盤１１０を透して表示画面２１１を視認可能となっている。
【００１９】
本実施の形態では、第２始動入賞口１６０として、第１始動入賞口１５０の右側に並んで配置される第２始動入賞口１６０Ａと、第２始動入賞口１６０Ａの右方であってゲート２００の下方に配置される第２始動入賞口１６０Ｂとの２つが設けられている。そして、第１始動入賞口１５０と第２始動入賞口１６０Ａへは、第１遊技領域１２１を流下する遊技球を受け入れ可能であるとともに、受け入れた遊技球を左右に振り分ける振分装置２５０によって、交互に遊技球を入球させることができるように形成されている。振分装置２５０は、第１遊技領域１２２を流下する遊技球は受け入れ不能であるため、第１始動入賞口１５０及び第２始動入賞口１６０Ａへは、第２遊技領域１２２を流下する遊技球は入球できないようになっている。
【００２０】
また、第２始動入賞口１６０Ｂには、図３に示すように、左右に開閉可能な可動片１６１が一対設けられており、可動片１６１が閉じているときには第２始動入賞口１６０Ｂは遊技球を受け入れることができないようになっている。一方、可動片１６１が開くと、開いた状態の可動片１６１が第１遊技領域１２１又は第２遊技領域１２２を流下する遊技球を第２始動入賞口１６０Ｂへ向けて案内するガイド部材として機能することにより、第２始動入賞口１６０Ｂへの遊技球の入球が容易となる。
【００２１】
なお、可動片１６１の構成は特に限定されるものではなく、たとえば、遊技盤１１０に直交する軸を中心に左右方向に回動して第２始動入賞口１６０を開閉する一対の羽根部材や、水平な軸を中心に前後方向に回動して第２始動入賞口１６０を開閉する蓋部材により構成してもよいし、また、上下方向にスライドして第２始動入賞口１６０を開閉するシャッター部材により構成してもよい。
【００２２】
第１始動入賞口１５０又は第２始動入賞口１６０へ遊技球が入球すると、所定個数の賞球が払い出されるとともに、大入賞口１８０が開放される特別遊技を実行するか否かの大当たりの抽選が行われる。また、特別遊技には、大入賞口１８０の開放回数や開放時間、特別遊技終了後に移行する遊技状態の違いなどがそれぞれ異なる複数種類が設けられており、いずれの特別遊技を実行させるかは、各特別遊技に対応付けられた複数種類の特別図柄の中から一の特別図柄を決定する特別図柄の抽選により決定される。
【００２３】
ここで、図３に示すように、遊技盤１１０の右下部であって、かつ、遊技領域１２０の外側には、遊技についての種々の状況を表示するための装置として、第１特別図柄表示装置３００、第２特別図柄表示装置３１０、普通図柄表示装置３２０、第１特図保留表示装置３３０、第２特図保留表示装置３４０、及び普通図柄保留表示装置３５０が設けられている。
そして、第１始動入賞口１５０へ遊技球が入球すると、第１特別図柄表示装置３００において、所定時間にわたり特別図柄の変動表示が行われ、第２始動入賞口１６０（第２始動入賞口１６０Ａ及び第２始動入賞口１６０Ｂ）へ遊技球が入球すると、第２特別図柄表示装置３１０において、所定時間にわたり特別図柄の変動表示が行われる。また、この間、液晶表示装置２１０では変動演出が行われる。そして、所定時間の経過後、第１特別図柄表示装置３００又は第２特別図柄表示装置３１０の変動表示が停止し、大当たり抽選の結果を示す特別図柄が停止表示される。所定の特別遊技が当選している場合には当該特別遊技に対応付けられた特別図柄が停止表示され、ハズレの場合にはハズレに対応付けられた所定の図柄が停止表示される。液晶表示装置２１０においても図柄変動を停止させて、抽選結果に応じた図柄を停止表示させる。特別遊技に対応付けられた特別図柄が停止表示された場合には、特別遊技が開始される。
【００２４】
またここで、第１特別図柄表示装置３００又は第２特別図柄表示装置３１０において特別図柄の変動表示が行われている最中、又は特別遊技の実行中に、第１始動入賞口１５０又は第２始動入賞口１６０に遊技球が入球した場合には、その旨が記憶（保留）され、第１始動入賞口１５０への遊技球の入球に基づく記憶数（保留数）は第１特図保留表示装置３３０に、第２始動入賞口１６０への遊技球の入球に基づく保留数は第２特図保留表示装置３４０に、それぞれ表示される。例えば点灯するランプの数により、保留数が報知される。そして、特別図柄の変動表示が終了し又は特別遊技が終了した場合には、保留に基づいて大当たりの抽選及び特別図柄の抽選が行われる。保留は最大４個まですることができ、保留に基づいて大当たりの抽選及び特別図柄の抽選が行われると保留数が減じられ、それに伴い第１特図保留表示装置３３０、第２特図保留表示装置３４０の表示も減じられる。
【００２５】
ゲート２００は、図３に示すように、振分装置２５０の右斜め上方に設けられている。このゲート２００を遊技球が通過すると、上述の第２始動入賞口１６０Ｂに設けられた可動片１６１を開状態にさせて第２始動入賞口１６０Ｂを開放させるか否かの抽選が行われる。この抽選は、第２始動入賞口１６０Ｂの開放（当たり）、非開放（ハズレ）にそれぞれ対応付けられた複数種類の普通図柄の中から一の普通図柄を決定する普通図柄の抽選として行われる。そして、当該抽選の結果が当たりであった場合、可動片１６１が所定時間、開状態となり、第２始動入賞口１６０Ｂが開放されるようになっている。
【００２６】
また、ゲート２００を遊技球が通過すると、図３に示す普通図柄表示装置３２０において、所定時間にわたり、普通図柄の変動表示が行われる。そして、変動時間の経過後、普通図柄表示装置３２０の変動表示が停止し、普通図柄の抽選の結果を示す普通図柄が停止表示される。すなわち、当たりの場合には当該当たりに対応付けられた普通図柄が停止表示され、ハズレの場合にはハズレに対応付けられた所定の図柄が停止表示される。当たりに対応付けられた普通図柄が停止表示されると、第２始動入賞口１６０Ｂが開放される。第２始動入賞口１６０Ｂが開放されている場合には、より多くの遊技球を第２始動入賞口１６０へ入球させることができ、大当たりの抽選を受ける機会が増え、第２始動入賞口１６０Ｂが開放されていない場合よりも有利な状態とすることができる。
【００２７】
ここで、普通図柄表示装置３２０において普通図柄の変動表示が行われている最中に、ゲート２００を遊技球が通過した場合には、上記と同様に最大４個まで保留され、普通図柄保留表示装置３５０に保留数が表示される。そして、普通図柄の変動表示が終了した場合には、保留に基づいて普通図柄の抽選が行われ、保留数が減じられるとともに普通図柄保留表示装置３５０の表示が減じられる。
【００２８】
アタッカー装置１７０は、図３に示すように、ゲート２００の右斜め上方に設けられている。このアタッカー装置１７０は、遊技球が入球可能な大入賞口１８０と、この大入賞口１８０を開閉する開閉扉１８１と、を備えている。常態においては、開閉扉１８１が閉じられ大入賞口１８０は閉鎖されているため、当該大入賞口１８０への遊技球の入球は不可能となっているものの、上述の特別遊技が実行されると、開閉扉１８１が開き大入賞口１８０が開放されるとともに、開閉扉１８１が遊技球を大入賞口１８０へ導く案内部材として機能することにより、大入賞口１８０への遊技球の入球が可能となる。また、当該大入賞口１８０へ遊技球が入球すると、所定個数の賞球が払い出される。
【００２９】
アウト口１９０は、図３に示すように、遊技領域１２０の最下部に設けられており、一般入賞口１４０、振分装置２５０（第１始動入賞口１５０及び第２始動入賞口１６０）、及び大入賞口１８０のいずれにも入球しなかった遊技球を受け入れるものである。そして、アウト口１９０に受け入れられた遊技球は、遊技盤１１０の背面側に導かれ回収される。
なお、一般入賞口１４０、第１始動入賞口１５０、第２始動入賞口１６０及び大入賞口１８０に入球した遊技球も、遊技盤１１０の背面側に導かれ回収される。
【００３０】
液晶表示装置２１０の表示画面２１１には、背景画像が表示されるほか、所定の演出態様の一部として、演出図柄（ダミー図柄）が変動表示されるようになっている。そして、各演出図柄の停止表示態様により、特別図柄の抽選や普通図柄の抽選の結果が遊技者に報知されることとなる。
なお、遊技盤１１０に設けられる演出を行う装置としては、上記した液晶表示装置２１０の他に、可動体を備えた演出役物装置や、種々の色や発光パターンで発光することにより演出を行う遊技盤演出ランプ等を備えていてもよい。
【００３１】
アース板金２０は、遊技球やガイドレールＲ等に生じる静電気を除電するためのものであり、図２に示すように、水平板２０Ａと、水平板２０Ａの前端部から立ち上がる前方板２０Ｂと、水平板２０Ａの後端部から立ち上がる後方板２０Ｃと、を備えている。そして、アース板金２０は、図３及び図４に示すように、遊技盤ユニット１の左下方に取り付けられ、遊技盤ユニット１に取り付けた遊技盤ユニット１に取り付けた状態で、水平板２０Ａが遊技盤ユニット１の底面に位置し、前方板２０Ｂが遊技盤ユニット１の正面側に位置し、後方板２０Ｃが遊技盤ユニット１の背面側に位置するようになっている。
【００３２】
具体的には、アース板金２０は、セット板１００と遊技盤１１０を一体化した状態で、セット板１００及び遊技盤１１０の下端面に設けられた切り欠き１０１、１１１（図２参照）に水平板２０Ａを嵌め込んで取り付けられ、図５に示すように、前方板２０Ｂと後方板２０Ｃとによりセット板１００及び遊技盤１１０を挟み込むものである。遊技盤１１０の正面に当接する前方板２０Ｂは、図３に示すように、金属箔や金属板などの導電性を有する接続部材２１を介して外レールＲ１と接続されている。また、セット板１００の背面に当接する後方板２０Ｃは、図４に示すように、着座板金３０によって背面側から覆われている。そして、着座板金３０を固定ネジ３１によってセット板１００に固定することにより、アース板金２０が遊技盤ユニット１に固定されるものとなっている。
【００３３】
そして、アース板金２０を取り付けた遊技盤ユニット１を本体枠Ｆ２に固定した状態で本体枠Ｆ２を閉じると、図５に示すように、着座板金３０が機枠Ｆ１に設けられた本体押圧板４０に当接する。本体枠Ｆ２を完全に閉じた状態にすると、本体押圧板４０の弾力性により着座板金３０と本体押圧板４０とは密着した状態となる。本体押圧板４０は、図示していないが、パチンコ機Ｐのアースに接続されており、接続部材２１及びアース板金２０を介して着座板金３０に集結される静電気が、本体押圧板４０からアースに放電されるものとなる。
【００３４】
以上のように、本実施の形態では、ガイドレールＲに接続されたアース板金２０を遊技盤ユニット１の底面を経て背面側に回し、このアース板金２０を、着座板金３０を介して間接的に、遊技盤ユニット１を押さえるための本体押圧板４０と接触させることでアーシングを行うようにしている。すなわち、遊技盤ユニット１の背面側に位置する本体押圧板４０を、アースを取るための部材と兼用にしている。このように形成することにより、部品点数の節約ができ、製造コストを抑えることができる。
【００３５】
また、アース板金２０は、遊技盤ユニット１に下側から嵌め込んでネジ止めするだけでよいので、複雑な配線作業を行う必要がない。また、アースを集結する着座板金３０を遊技盤ユニット１の背面に配置してあるので、遊技盤１１０の正面側からアースをとる場合と比べ、遊技盤の設計領域を拡大することができる。さらに、セット板１００と遊技盤１１０とをアース板金２０により挟持し、かつセット板１００に着座板金３０を固定してアース板金２０を背面側から覆うようにしているので、セット板１００と遊技盤１１０との固定を強化できるとともに、セット板１００の強度を向上させることができる。
【００３６】
なお、着座板金３０は、遊技球とガイドレールＲに生じた静電気の除電を行うのみならず、着座板金３０に設けられたアース用ビス３２（図４参照）に、パチンコ機Ｐの他の構成部品（例えば演出用役物）を電気的に接続することにより、他の構成部品のアースを取るようにすることもできる。
また、接続部材２１は、ハーネスであってもよく、接続部材２１は、外レールＲ１と内レールＲ２の双方に接続されていてもよい。さらに、接続部材２１とアース板金２０を一体化して形成してもよく、アース板金２０の後方板２０Ｃと着座板金３０とを一体化して形成してもよい。
【００３７】
また、上述の実施の形態では、アース板金２０は、遊技盤ユニット１の正面から底面を経て背面に至る、断面略Ｕ字型に形成してあったが、アース板金２０を、遊技盤ユニット１の正面側から背面側に貫通する貫通孔に通して、ガイドレールＲのアースを遊技盤ユニット１の背面側で取るようにしてもよい。
ここで、上述の実施の形態における機枠Ｆ１は本発明の枠体に相当し、上述の実施の形態における本体押圧板４０は本発明の押さえ部材に相当する。また、上述の実施の形態における遊技盤ユニットは本発明の遊技盤部材に相当し、上述の実施の形態におけるアース板金２０及び接続部材２１及び着座板金３０は本発明の導電性部材に相当する。
【符号の説明】
【００３８】
Ｐ  パチンコ機（遊技機）                １  遊技盤ユニット（遊技盤部材）
２０  アース板金（導電性部材）        ２０Ａ  水平板
２０Ｂ  前方板                          ２０Ｃ  後方板
２１  接続部材（導電性部材）            ３０  着座板金（導電性部材）
４０  本体押圧板（押さえ部材）          ５０  扉枠
１００  セット板                        １１０  遊技盤
Ｆ１  機枠（枠体）                        Ｒ  ガイドレール
【図１】
0006641143.tif 000002
【図２】
0006641143.tif 000003
【図３】
0006641143.tif 000004
【図４】
0006641143.tif 000005
【図５】
0006641143.tif 000006